【事件の表示】
　特願２００６−２１４０５１「両面有機ＥＬディスプレイ」拒絶査定不服審判事件〔平成１９年　６月２１日出願公開、特開２００７−１５７６８７〕について、次のとおり審決する。
【結　論】
　本件審判の請求は、成り立たない。
【理　由】
第１　手続の経緯
　本願は、平成１８年８月７日（パリ条約による優先権主張２００５年１２月８日、米国）の出願であって、平成２２年３月３１日付けで手続補正がなされたが、平成２３年４月１４日付けで拒絶査定がなされ、これに対し、同年８月１１日に拒絶査定に対する審判請求がなされるとともに、同日付けで手続補正がなされたものである。
　その後、平成２４年２月２２日付けで、審判請求人に前置報告書の内容を示し意見を求めるための審尋を行ったところ、同年４月２３日付けで回答書が提出された。
　
第２　平成２３年８月１１日付けの手続補正についての補正の却下の決定
［補正の却下の決定の結論］
　　平成２３年８月１１日付けの手続補正を却下する。
　
［理由］
１．補正後の請求項に記載された発明
　平成２３年８月１１日付けの手続補正（以下「本件補正」という。）により、本願の特許請求の範囲の請求項１は、特許請求の範囲の減縮を目的として、以下のように補正された。
　「双方の背面が対向して配置された一対の透明基板と、対向する前記双方の背面の周縁部を接着させて、前記一対の透明基板とで密閉空間を形成するシール材とを有し、前記密閉空間には不活性ガスが封入されているとともに、前記一対の透明基板には、対向する前記双方の背面の中央部分に、有機ＥＬ素子が用いられた表示部が、それぞれ前記密閉空間へ向けて突出して設けられ、さらに、対向する前記双方の背面の少なくとも一方側には、酸素や湿気を吸収する吸収材が、前記双方の表示部よりも外側で且つ前記シール材と前記表示部との間で当該表示部を囲むように環状に形成されているとともに、前記シール材にも前記表示部にも接触しない程度に近接した位置で前記透明基板から前記密閉空間へ向けて突起して設けられていることを特徴とする両面有機ＥＬディスプレイ。」（以下「補正発明」という。）
　
　そこで、上記補正発明が特許出願の際独立して特許を受けることができるものであるか否かについて、以下に検討する。
　
２．引用刊行物 
（１）引用文献１：特開２０００−１００５６０号公報
　原査定の拒絶の理由に引用され、本願の優先日前に頒布された刊行物である、上記引用文献１には、図面とともに以下の事項が記載されている。
（１ａ）「【０００１】
【発明の属する技術分野】本発明は、電界発光による自発光型の表示素子（ＥＬ）に係わるものであり、特に有機ＥＬ素子の信頼性を向上させることを目的とするするものである。また本発明は、有機ＥＬ素子の視認性を高めることを目的とするものである。」
（１ｂ）「【０００５】従来の有機ＥＬ素子の概要構成を図６を用いて示す。ガラス基板６０１の上に酸化インジウム錫（ＩＴＯ）等の比較的大きなイオン化ポテンシャルを有し正孔の注入が容易な透明導電性薄膜でなる陽極６０２が形成されている。次にその表面のほぼ全面にに正孔輸送層及び電子輸送性の発光層が順次付着された有機層６０３が形成ている。そしてその表面に銀マグネシウム合金（ＡｇＭｇ）等の比較的低い仕事関数を有し電子の注入の容易な金属層でなる陰極６０４が形成されている。更に素子側に凹型形状を有する基板（背面板）６０７がガラス基板６０１と樹脂６０５により密着して設置され、その内部は不活性ガス６０８で充填されている。」
（１ｃ）「【００１２】
【課題を解決するための手段】本発明の発光素子が形成された平坦な表面を有する第１の基板と、薄膜状の発光素子が形成された平坦な表面を有する第２の基板が、それぞれ発光素子が形成された表面を内面にして互いに対向して配置された発光装置であり、かつ前記第１及び第２の基板に形成された薄膜状の該発光素子の周辺部が複数の微粒子を含有する樹脂層で包囲されるとともに、該両発光素子が一定の間隔を隔てて固定されて密着封止されていることを特徴とする発光装置である。」
（１ｄ）「【００３１】（実施例３）実施例１、２では第１の基板側からのみ表示が観測できる表示装置を示したが、表面の平坦な透明な基板を用い、更に全ての電極に透明もしく半透明の電極層を用いることにより第２の基板側からも観測できる透過型の発光装置を実現することが可能である。
【００３２】本発明の第３の実施形態に係わる発光素子について図３を参照しながら説明する。
【００３３】図３において、３０１１はガラス基板（第１の基板）である。その表面には正孔を注入するための酸化インジウム錫でなる透明電極（第１の電極）３０２１、トリフェニルジアミン（ＴＰＤ[N,N'-bis(3-methylphenyl)-(1,1'-biphenyl)-4,4'-diamine]）でなる正孔輸送層とアルミキノリノール錯体（Ａlｑ[tris(8-hydroxyquino)aluminium]）でなる電子輸送性発光層で構成された有機層３０３１、及び電子を注入するための銀マグネシウム合金でなる半透明の陰極層（第２の電極）３０４１が順次形成されている。
【００３４】また、これらの膜の形成された基板に対向して表面の平坦な第２の基板３０１２が設置され、その表面には、正孔を注入するための酸化インジウム錫でなる透明電極（第３の電極）３０２２、トリフェニルジアミン（ＴＰＤ[N,N'-bis(3-methylphenyl)-(1,1'-biphenyl)-4,4'-diamine]）でなる正孔輸送層とルブレンの添加されたアルミキノリノール錯体（Ａlｑ[tris(8-hydroxyquino)aluminium]）でなる電子輸送性発光層でなる有機層３０３２、及び電子を注入するための銀マグネシウム合金でなる半透明の陰極層（第４の電極）３０４２が順次形成されている。
【００３５】第１の基板３０１１と第２の基板３０１２の周辺部には粒径約２０ミクロンのガラスビーズ３０６ａとそれ以下の粒径を有する五酸化燐３０６ｂが含有された樹脂３０５が設置され、この樹脂層により基板が接着保持されるとともに発光層素子が封止されている。陽極（第１の電極）３０２１と陰極（第２の電極）３０４１、並びに陽極（第３の電極）３０２２と陰極（第４の電極）３０４２の間に電界を印加するとそれぞれの電極から有機発光層に正孔と電子が注入されて発光する。そして両発光層で発した光はガラス基板３０１１及び３０１２を透過して緑色の発光３０９１及び３０９１’、黄色の３０９２及び３０９２’が観測される。
【００３６】本発明により平板状の発光装置の両側から二層で発光した光を観測することが可能となり、従来にない新たな機能の表示装置を実現し得る。
【００３７】本実施例においては第１の基板に緑色を発光する有機層、第２の基板には黄色を発光する有機層を形成したが、必ずしもこの色に限定されずそれぞれの基板に形成する発光層の種類を変えることにより異なる色の組み合わせの表示をえることも可能である。また同一発光色であってもよい。
【００３８】また第１及び第３の電極層として酸化インジウム錫を用い、また第２及び第４の電極層としてマグネシウム銀合金を用いたが必ずしもこれらの材料に限定されず透明もしくは半透明な導電体であればよい。
【００３９】また本実施例においては陰極層（第２の電極層及び第４の電極層）の表面は直接不活性ガスに露呈されているが、酸化シリコン等でなる透明な絶縁層で被覆することにより更に信頼性を向上させることが可能である。」
（１ｅ）「【図３】
」
（１ｆ）図３からは、平坦な表面を有するガラス基板３０１１及び３０１２のそれぞれから、有機発光層３０３１及び３０３２が内面側に突出して形成されているようすが見て取れる。
　
　これらの記載事項及び図面を含む引用文献１全体の記載並びに当業者の技術常識を総合すれば、引用文献１には、以下の発明が記載されている。
　「薄膜状の第１の有機発光層素子が内面側に突出して形成された平坦な表面を有する第１のガラス基板と、薄膜状の第２の有機発光層素子が内面側に突出して形成された平坦な表面を有する第２のガラス基板が、それぞれ有機発光層素子が形成された表面を内面にして互いに対向して配置された発光装置であり、かつ前記第１及び第２のガラス基板に形成された薄膜状の第１及び第２の有機発光層素子の周辺部が五酸化燐の微粒子を含有する樹脂層で包囲されるとともに、該両発光素子が一定の間隔を隔てて固定され、その内部は不活性ガスで充填されて密着封止されている発光装置。」（以下「引用発明」という。）
　
（２）引用文献２：特開２００４−６２８６号公報
　同じく、上記引用文献２には、図面とともに以下の事項が記載されている。
（２ａ）「【００２１】
図１、図２には、本実施形態の概略構成が示されている。図１（Ａ）に示すように、ＥＬ基板１０上には、その周辺部のみが接触し、内側部分は所定間隔おいて上方に位置する凹型の封止基板１２が配置されている。すなわち、封止基板１２は、その周囲（周辺部）がＥＬ基板１０側に突出する枠部１２ａとなっており、この枠部１２ａの先端部分のみがＥＬ基板１０の表面に接触している。なお、この接触部分は、シーリング剤で接着されることで、その内側空間１４を外側空間と仕切っている。また、封止基板１２の凹部は、ＥＬ基板１０上に形成した有機ＥＬ素子を備えた複数の表示画素が形成された領域に対応して設けられている。
【００２２】
なお、封止基板１２は、凹型に限らず、図１（Ｂ）に示すように平板状の基板を採用しても良い。この場合には、ＥＬ基板１０との接着部分１３に用いるシーリング剤中に例えばスペーサ粒を混入させるなどし、封止基板１２とＥＬ基板１０との間隔を充分維持できるようにすることが好ましい。
【００２３】
そして、図２に示すように、封止基板１２の枠部１２ａの内側空間１４内の上面１２ｂであって、比較的外側の領域に水分吸収剤であるデシカント１６が塗布形成されている。特に、封止基板１２の内部上面の枠部１２ａ（周辺部）に近い領域（外側領域）にのみデシカント１６が塗布形成されている。すなわち、周辺部の枠部１２ａから遠い領域である封止基板の中央側（内側領域）にはデシカント１６は形成されていない。
【００２４】
なお、この例では、デシカント１６は、封止基板１２に相対移動しながら塗布するため、帯状で連続的する形状になっている。また、デシカント１６が重ねて形成されるとその部分が高くなるため、端部は少し離れて形成され、一定の高さを維持するようになっている。
【００２５】
通常は、ＥＬ基板１０上のドライバ回路や、ＥＬ素子等の形成が終了した後、ドライな窒素やアルゴンなどの不活性ガス雰囲気で、デシカント１６が形成された封止基板１２をＥＬ基板１０をシール材を用いて封着する。
【００２６】
ここで、デシカント１６は、チューブで塗布する上記の方法の他に、予め一方の面に接着剤がついており貼り付け可能であるシール状のデシカントを利用する方法もある。このシール状のデシカント１６は、予め一定の大きさに作ってあり、それを必要な部分に貼り付ける。このシール状のデシカント１６の場合も、封止基板１２の凹部における周辺部に近い領域にデシカント１６を配置する。
【００２７】
このようにして、封止基板１２によって密閉された内側空間１４は、デシカント１６の作用によって、乾燥状態に保持され、この内側空間１４からＥＬ素子へ水分が浸入することを有効に防止することができる。
【００２８】
ここで、ＥＬ基板１０は、ガラス基板上に各種の回路ＥＬ素子が形成されたものであり、ここにＥＬ素子を含む多数の画素がマトリクス状の配置され表示領域１０ａが形成されている。また、本実施形態では、表示領域１０ａの周辺には、表示領域１０ａにあるＴＦＴを駆動するための行方向および列方向のドライバ回路や、外部との接続部が形成される（以下、これらの形成領域をドライバ領域１０ｂという）。なお、接続部には、外部からのＦＰＣ（フレキシブル・プリンテッド・サーキット）基板が接続される。
【００２９】
各画素は、一般的には、スイッチングＴＦＴ（薄膜トランジスタ）と、保持容量と、駆動ＴＦＴと、有機ＥＬ素子からなっており、スイッチングＴＦＴをオンすることで、データラインからのデータの電位が保持容量に保持され、この保持容量に保持された電位に応じて駆動ＴＦＴがオンされて、電源ラインからの電流がＥＬ素子に供給され、ＥＬ素子が発光する。なお、このような画素の回路は、各種の変形が可能である。
【００３０】
また、有機ＥＬ素子は、ガラス基板上に形成されたＩＴＯなどの透明な陽極が形成され、その上に正孔輸送層、有機発光層、電子輸送層、陰極が積層形成されて形成されている。特に、陰極は、表示領域全体を覆って積層形成されている。
【００３１】
このような有機ＥＬパネルにおいて、ＥＬ基板１０と、封止基板１２は、枠部１２ａおよび内部に封入されたガスによって両者の間隔を維持している。しかし、外力が加わった場合には、たわむ可能性がある。すなわち、ＥＬ基板１０および封止基板１２を近づける方向に外力が加わった場合には、ＥＬ基板１０および封止基板１２の間隔が狭くなる。この場合に、そのたわみ量は、ＥＬ基板１０および封止基板１２の中心部分ほど大きくなりやすい。
【００３２】
本実施形態では、デシカント１６を中心部を避けて形成してある。これによって、デシカント１６がＥＬ基板１０の陰極と接触する可能性が低くなり、陰極の損傷などを効果的に防止することができる。」
（２ｂ）「【図２】
」
　
３．対比 
　補正発明と引用発明を比較する。
（あ）引用発明の「第１及び第２のガラス基板」は、補正発明の「一対の透明基板」に相当する。同様に、「有機発光層素子」は「有機ＥＬ素子」に、「樹脂層」は「シール材」に、「発光装置」は「有機ＥＬディスプレイ」にそれぞれ相当する。
　また、引用発明の「有機発光層素子」の部分が、補正発明の透明基板の中央部分の「表示部」を構成することは明らかである。
（い）引用発明の「第１及び第２のガラス基板」が「それぞれ有機発光層素子が形成された表面を内面にして互いに対向して配置された」構成は、補正発明の「一対の透明基板」が「双方の背面が対向して配置された」構成に相当する。
　また、引用発明の「薄膜状の第１及び第２の有機発光層素子が」「第１及び第２のガラス基板の内面側に突出して形成された」構成は、補正発明の「有機ＥＬ素子が用いられた表示部が、それぞれ前記密閉空間へ向けて突出して設けられ」た構成に相当する。
　したがって、引用発明の「発光装置」は「両面有機ＥＬディスプレイ」であることがわかる。
（う）引用発明の「第１及び第２のガラス基板」と有機発光層素子の周縁部を包囲する「樹脂層」で「内部」を「密着封止」している構成は、補正発明の「対向する前記双方の背面の周縁部を」「シール材」で「接着させて、一対の透明基板とで密閉空間を形成する」構成に相当する。
（え）引用発明の「五酸化燐の微粒子」は、当業者の技術常識（特開２００５−２１６７５２号公報参照）を参酌すれば、補正発明の「酸素や湿気を吸収する吸収材」に相当するから、両発明は「酸素や湿気を吸収する吸収材が、前記双方の表示部よりも外側で当該表示部を囲むように環状に形成されている」点で共通する。
　
　してみると両者は、 
　「双方の背面が対向して配置された一対の透明基板と、対向する前記双方の背面の周縁部を接着させて、前記一対の透明基板とで密閉空間を形成するシール材とを有し、前記密閉空間には不活性ガスが封入されているとともに、前記一対の透明基板には、対向する前記双方の背面の中央部分に、有機ＥＬ素子が用いられた表示部が、それぞれ前記密閉空間へ向けて突出して設けられ、さらに、対向する前記双方の背面の少なくとも一方側には、酸素や湿気を吸収する吸収材が、前記双方の表示部よりも外側で当該表示部を囲むように環状に形成されている両面有機ＥＬディスプレイ。」
の点で一致し、次の点で相違している。
　
（相違点）
　表示部よりも外側で当該表示部を囲むように環状に形成されている酸素や湿気を吸収する吸収材が、補正発明では「シール材と表示部との間で」「シール材にも表示部にも接触しない程度に近接した位置で透明基板から密閉空間へ向けて突起して設けられている」のに対して、引用発明ではシール材に含有されていて、別個の吸収材を備えていない点。
　
４．判断 
　上記相違点について検討する。
　
　引用文献２の上記各摘記事項を参酌すれば、上記引用文献２には、「帯状で連続する形状のデシカントを、基板の中心部を避けて接着部分（周辺部）に近い領域（外側領域）にのみ形成した有機ＥＬパネル。」が記載されている。
　ここで、「帯状で連続する形状」に関して、上記摘記事項（２ａ）の段落【００２４】及び【００２６】の記載を参酌すれば、帯の端部を離さずに連結することを示唆している。
　即ち、引用文献２は「環状に連続する形状のデシカント」を示唆している。
　してみると、上記「帯状で連続する形状」、「デシカント」及び「接着部分」は、それぞれ、上記相違点に係る構成の「環状に形成されている」こと、「酸素や湿気を吸収する吸収材」及び「シール材」に、それぞれ相当する。
　また、引用文献２の各図面を参酌すれば、「帯状で連続する形状のデシカント」が接着部分に接触しない程度に近接した位置で、密閉空間へ向けて突出して形成されていることがわかる。
　すなわち、引用文献２には「環状に形成されている酸素や湿気を吸収する吸収材が、シール材に接触しない程度に近接した位置で密閉空間へ向けて突起して設けられている有機ＥＬパネル。」（以下「引用２発明」という。）が記載されている。
　引用発明も引用２発明も、ともに、酸素や湿気を吸収する吸収材を備えた有機ＥＬ発光装置に関する発明であり、しかも、当該技術分野において、有機ＥＬ発光装置からできるだけ酸素や湿気を取り除こうとすることは技術常識であるから、引用発明に引用２発明のデシカントを付加することに、技術的困難性も阻害要因もない。
　その場合、環状に形成されたデシカントを「シール材と表示部との間」で「表示部に接触しない程度に近接した位置」に配置することは、吸収材は表示素子内部の空間の適宜の位置に配置可能である（上記特開２００５−２１６７５２号公報参照）ことが当業者の技術常識であること、及び表示部が外部に対して光を放出する部分であることを考慮すれば、当業者が適宜採用しうる事項である。
　してみると、上記相違点に係る事項は、引用発明に引用２発明を適用することにより、当業者が容易になし得る事項である。
　
　そして、補正発明全体の効果も、引用発明及び引用２発明から当業者が予測し得る範囲のものであって格別なものではない。
　
　したがって、補正発明は、引用発明及び引用２発明に基いて当業者が容易に発明をすることができたものであるから、特許法第２９条第２項の規定により特許出願の際独立して特許を受けることができないものである。
　
５．小括 
　以上のとおり、本件補正は、平成１８年法律第５５号改正附則第３条第１項によりなお従前の例によるとされる同法による改正前の特許法第１７条の２第５項の規定において準用する同法第１２６条第５項の規定に違反するので、同法第１５９条第１項において読み替えて準用する同法第５３条第１項の規定により却下すべきものである。 
　よって、上記［補正の却下の決定の結論］のとおり、決定する。
 　
第３　本願発明について 
　平成２３年８月１１日付けの手続補正は上記のとおり却下されたので、本願の特許請求の範囲の請求項１に係る発明は、平成２２年３月３１日付けの手続補正で補正された特許請求の範囲の請求項１に記載された事項により特定される、以下のとおりのものである。
「双方の背面が対向して配置された一対の透明基板と、対向する前記双方の背面の周縁部を接着させて、前記一対の透明基板とで密閉空間を形成するシール材とを有し、前記密閉空間には不活性ガスが封入されているとともに、前記一対の透明基板には、対向する前記双方の背面の中央部分に、有機ＥＬ素子が用いられた表示部がそれぞれ設けられ、さらに、対向する前記双方の背面の少なくとも一方側には、酸素や湿気を吸収する吸収材が、双方の表示部よりも外側で外周部を構成し、当該表示部を囲み、前記シール材と当該表示部の間に前記シール材にも当該表示部にも離れ、当該透明基板から突起するように設けられたことを特徴とする両面有機ＥＬディスプレイ。」（以下「本願発明」という。）
　
１．引用刊行物
　原査定に引用され、本願出願前に頒布された刊行物及びその記載内容は、前記「第２」の「２．」に記載したとおりである。
　
２．対比
　本願発明は、前記「第２」で検討した補正発明から、少なくとも「前記密閉空間へ向けて突出して」、「当該表示部を囲むように環状に形成されている」及び「接触しない程度に近接した位置で」という事項を削除することにより拡張したものである。
　そうすると、本願発明の発明特定事項をすべて含み、更に限定したものに相当する補正発明が、前記「第２」の「４．」に記載したとおり、引用発明及び引用２発明に基いて当業者が容易に発明をすることができたものであるから、本願発明も、同様の理由により、当業者が容易に発明をすることができたものである。
　
第５　むすび 
　以上のとおり、本願発明は、引用発明及び引用２発明に基いて当業者が容易に発明をすることができたものであり、特許法第２９条第２項の規定により特許を受けることができないから、本願の他の請求項に係る発明について検討するまでもなく、本願は、拒絶されるべきものである。 
　よって、結論のとおり審決する。